(57)【要約】【課題】  本発明は、画像形成装置内の記録媒体を搬送する搬送路上に搬送途中の記録媒体が存在する時に外部電源からの給電が遮断された場合であっても搬送途中の記録媒体が加熱部に残留して過熱される危険を回避する画像形成装置およびその制御方法を提供する。【解決手段】  外部電源から給電され、画像が形成された記録媒体を搬送路に沿って搬送して排出する画像形成装置において、外部電源に切り換えて給電可能な内部電源と、記録媒体が搬送路上に存在するかを検知する検知手段と、外部電源の遮断に際して検知手段により記録媒体が搬送路上に存在すると検知されている場合は、外部電源から切り換えて内部電源から給電する電源切換手段とを具備する。【選択図】  図１
2007086645.tif 000002
【特許請求の範囲】
【請求項１】
電源から給電され、画像が形成された記録媒体を搬送路に沿って搬送して排出する画像形成装置において、
前記電源は、外部電源と前記外部電源に切り換えて給電可能な内部電源とを備え、
前記記録媒体が前記搬送路上に存在するかを検知する検知手段と、
前記外部電源から切り換えて前記内部電源から給電する電源切換手段と、
前記外部電源が遮断した場合に前記電源切換手段で前記外部電源から切り換えて前記内部電源から給電し、前記検知手段により前記記録媒体が前記搬送路上に存在すると検知された場合は、前記記録媒体を排紙する排紙手段と
を具備することを特徴とする画像形成装置。
【請求項２】
前記電源切換手段は、
前記記録媒体が排出された後に前記内部電源からの給電を自動的にオフにする内部電源遮断手段
を更に具備することを特徴とする請求項１記載の画像形成装置。
【請求項３】
前記搬送路上に、前記記録媒体に形成された画像を熱定着する定着手段を有し、
前記検知手段は、
前記記録媒体が前記搬送路上の前記定着手段内に存在するかを検知する
ことを特徴とする請求項１または２記載の画像形成装置。
【請求項４】
前記電源切換手段により前記外部電源に代えて前記内部電源に切り換えられている場合は、その旨を表示する表示手段
を更に具備することを特徴とする請求項１乃至３のいずれかに記載の画像形成装置。
【請求項５】
電源から給電され、画像が形成された記録媒体を搬送路に沿って搬送して排出する画像形成装置の制御方法において、
前記電源は、外部電源と前記外部電源に切り換えて給電可能な内部電源とを備え、
前記外部電源が遮断した場合は、電源切換手段により前記外部電源から切り換えて前記内部電源から給電し、
前記記録媒体が前記搬送路上に存在することを検知手段が検知した場合は、前記記録媒体を排紙手段により排紙する
ことを特徴とする画像形成装置の制御方法。
【請求項６】
前記電源切換手段は、
前記記録媒体が排出された後に前記内部電源からの給電を内部電源遮断手段により自動的にオフにする
ことを特徴とする請求項５記載の画像形成装置の制御方法。
【請求項７】
前記搬送路上には前記記録媒体に形成された画像を熱定着する定着手段を有し、
前記検知手段は、
前記記録媒体が前記搬送路上の前記定着手段内に存在するかを検知する
ことを特徴とする請求項５または６記載の画像形成装置の制御方法。
【請求項８】
前記電源切換手段により前記外部電源に代えて前記内部電源に切り換えられている場合は、その旨を表示手段により表示する
ことを特徴とする請求項５乃至７のいずれかに記載の画像形成装置の制御方法。
【発明の詳細な説明】
【技術分野】
【０００１】
本発明は、画像形成装置およびその制御方法に関し、特に、画像形成装置内の記録媒体を搬送する搬送路上に搬送途中の記録媒体が存在する時に外部電源からの給電が遮断された場合であっても搬送途中の記録媒体が加熱部に残留して過熱される危険を回避する画像形成装置およびその制御方法に関する。
【背景技術】
【０００２】
複写機、プリンタ、ファクシミリ等の画像形成装置には画像を記録媒体へ形成する方法として熱定着方式を用いたものがある。
【０００３】
この方式は、他の方式と比べて構成が簡易であることから広く普及しており、例えば熱定着方式のファクシミリは、電源を入れた状態で通年使用されるのが一般的である。
【０００４】
熱を発生させる機器、例えばヒータ等の家電機器には、当該家電機器の転倒や過熱による火災を防止するために地震等による振動や転倒による衝撃を検知することで当該家電機器の電源を自動的にオフにする機能や過熱等の機器の異常を検知して対処する安全回路等の機能が付加されている。
【０００５】
一方、熱定着方式のものを含む画像形成装置においては、地震等に対する耐震性に対して十分な配慮がなされているとはいえない状況にあり、画像形成装置においても地震や装置の異常に対して安全に対処する装置や機能を備える必要がある。
【０００６】
そこで、例えば特許文献１には、地震等に対する耐震性を高めた画像形成装置が提案されている。
【０００７】
この提案の画像形成装置は、加速度センサー等の振動検出手段を備え、この振動検出手段が検出した振動の検出レベルに応じて画像形成装置をオートシャットオフする、あるいは一時停止する等の動作状態を変更して地震等に対する耐震性を高めるように構成したものである。
【特許文献１】特開平０８−１４６８４３号公報
【発明の開示】
【発明が解決しようとする課題】
【０００８】
しかしながら、上記特許文献１に示される画像形成装置においては、外部からの電源供給が遮断された場合は、画像形成装置が動作せず、画像形成装置が有する機能が有効に機能しないという問題があり、また、電源供給が遮断された時に搬送途中の記録媒体が画像形成装置の加熱部に残留した場合には記録媒体が過熱されて記録媒体から発火もしくは発煙する危険性がある。
【０００９】
そこで、本発明は、画像形成装置内の記録媒体を搬送する搬送路上に搬送途中の記録媒体が存在する時に外部電源からの給電が遮断された場合であっても搬送途中の記録媒体が加熱部に残留して過熱される危険を回避する画像形成装置およびその制御方法を提供することを目的とする。
【課題を解決するための手段】
【００１０】
上記目的を達成するため、請求項１の発明は、電源から給電され、画像が形成された記録媒体を搬送路に沿って搬送して排出する画像形成装置において、前記電源は、外部電源と前記外部電源に切り換えて給電可能な内部電源とを備え、前記記録媒体が前記搬送路上に存在するかを検知する検知手段と、前記外部電源から切り換えて前記内部電源から給電する電源切換手段と、前記外部電源が遮断した場合に前記電源切換手段で前記外部電源から切り換えて前記内部電源から給電し、前記検知手段により前記記録媒体が前記搬送路上に存在すると検知された場合は、前記記録媒体を排紙する排紙手段とを具備することを特徴とする。
【００１１】
また、請求項２の発明は、請求項１の発明において、前記電源切換手段は、前記記録媒体が排出された後に前記内部電源からの給電を自動的にオフにする内部電源遮断手段を更に具備することを特徴とする。
【００１２】
また、請求項３の発明は、請求項１または２の発明において、前記搬送路上に、前記記録媒体に形成された画像を熱定着する定着手段を有し、前記検知手段は、前記記録媒体が前記搬送路上の前記定着手段内に存在するかを検知することを特徴とする。
【００１３】
また、請求項４の発明は、請求項１乃至３のいずれかの発明において、前記電源切換手段により前記外部電源に代えて前記内部電源に切り換えられている場合は、その旨を表示する表示手段を更に具備することを特徴とする。
【００１４】
また、請求項５の発明は、電源から給電され、画像が形成された記録媒体を搬送路に沿って搬送して排出する画像形成装置の制御方法において、前記電源は、外部電源と前記外部電源に切り換えて給電可能な内部電源とを備え、前記外部電源が遮断した場合は、電源切換手段により前記外部電源から切り換えて前記内部電源から給電し、前記記録媒体が前記搬送路上に存在することを検知手段が検知した場合は、前記記録媒体を排紙手段により排紙することを特徴とする。
【００１５】
また、請求項６の発明は、請求項５の発明において、前記電源切換手段は、前記記録媒体が排出された後に前記内部電源からの給電を内部電源遮断手段により自動的にオフにすることを特徴とする。
【００１６】
また、請求項７の発明は、請求項５または６の発明において、前記搬送路上には前記記録媒体に形成された画像を熱定着する定着手段を有し、前記検知手段は、前記記録媒体が前記搬送路上の前記定着手段内に存在するかを検知することを特徴とする。
【００１７】
また、請求項８の発明は、請求項５乃至７のいずれかの発明において、前記電源切換手段により前記外部電源に代えて前記内部電源に切り換えられている場合は、その旨を表示手段により表示することを特徴とする。
【発明の効果】
【００１８】
本発明の画像形成装置およびその制御方法によれば、内部電源を備え、外部電源からの給電が遮断された場合は内部電源に切替え制御を行い給電するので、地震等の何らかの原因により外部電源からの給電が遮断された場合であっても画像形成装置が有する機能を最大限に機能させることができる。
【００１９】
また、画像形成装置内の記録媒体を搬送する搬送路上に搬送途中の記録媒体が存在する時に外部電源からの給電が遮断された場合は、内部電源に切替えて給電し、記録媒体を完全に排紙した後、画像形成装置の電源を自動でオフとするので記録媒体が加熱部に残留して過熱される危険を回避することができるという効果を奏する。
【発明を実施するための最良の形態】
【００２０】
以下、本発明に係わる画像形成装置およびその制御方法の一実施例について添付図面を参照して詳細に説明する。
【００２１】
図１は、本発明に係わる画像形成装置１００の機能的な構成を示すブロック図である。  
なお、図１に示す画像形成装置１００は、複写機やファクシミリ装置、プリンタ等の画像形成装置のうちのプリンタを想定して示したものである。
【００２２】
図１に示すように、画像形成装置１００は、制御部１０と、操作部１１と、記憶部１２と、画像処理部１３と、画像形成部１４と、駆動部１５と、動作状態検出部１６と、駆動制御部１７と、振動検出部１８と、電源制御部１９と、内部電源１９２とを備えている。  なお、画像形成装置１００への通常の給電は、外部電源１９１により給電される。
【００２３】
制御部１０は、画像形成装置１００のＣＰＵ（中央演算処理装置）であり、画像形成装置１００の各部を制御するとともに画像形成装置１００全体を統括制御する。
【００２４】
操作部１１は、ユーザが画像形成装置１００に対して動作指示するための操作手段であり、操作ボタンやテンキー、表示画面等を備えている。
【００２５】
記憶部１２は、メモリ等の記憶装置であり、画像形成装置１００に対して印刷指示された画像データや画像形成装置１００の設定情報、制御部１０が動作するためのメインプログラム、各種テーブル等のデータを記憶保持する。
【００２６】
画像処理部１３は、画像形成装置１００に対して印刷指示された画像データが用紙上に印刷出力されるように画像形成装置１００が備えるトナー、例えば画像形成装置１００がモノクロの場合はブラック（Ｋ）色のトナー、カラーの場合はイエロー（Ｙ）、マゼンダ（Ｍ）、シアン（Ｃ）及びブラック（Ｋ）の各色のトナーに対応して画像データが用紙上に印刷出力されるように所定の画像処理を施す。
【００２７】
画像形成部１４は、画像処理部１３で画像処理されて出力された画像データに基づき露光制御されたレーザ光を感光ドラム上に露光して画像データに対応した潜像を形成し、形成した潜像に現像装置によりブラック（Ｋ）色のトナーやカラーのトナーを付着させてトナー画像を形成し、形成したトナー画像を用紙上に転写、定着させた後、排紙する。
【００２８】
駆動部１５は、モータやベルト、ローラ等で構成され、画像形成装置１００内の用紙カセット１５０（図２参照）に蓄積収納された用紙を１枚ずつ搬送し、用紙上に画像データを転写、定着、排紙するまでの一連の用紙搬送に伴う駆動を行う。
【００２９】
駆動制御部１７は、駆動部１９のモータ等の回転を制御して駆動部１９の制御を行い、用紙の搬送制御等を行う。
【００３０】
振動検出部１８は、画像形成装置１００の縦揺れ、横揺れ等の振動を検出するセンサーであり、地震やその他の影響による画像形成装置１００の振動を検知して制御部１０へ通知する。
【００３１】
画像形成装置１００の振動を検知するセンサーとしては、歪みゲージ式の加速度センサー、静電容量式、圧電式、作動トランス式等の任意の加速度センサーを用いることができ、さらには他の振動センサーや地震センサーを用いても良い。
【００３２】
動作状態検出部１６は、駆動部１５と画像形成部１４のそれぞれ動作状態を検出して制御部１０へ通知し、制御部１０が駆動状態検出部１８から通知された駆動部１９と画像形成部１５のそれぞれ動作状態と、振動検出部１８から通知される振動情報とに基づき当該画像形成装置１００の印刷出力に係る動作に起因する振動状態、例えば用紙を搬送している状態、あるいは用紙を収容するカセットを交換している状態、さらには定期点検状態等にあることを検知する。
【００３３】
電源制御部１９は、制御部１０の指令信号に基づき電源制御部１９に接続された外部電源１９１及び内部電源１９２（例えばバッテリ等）からの給電を遮断して電源をオフとする、もしくは画像形成装置１００への給電を外部電源１９１または内部電源１９２の何れかから行うように切替え制御を行い、画像形成装置１００への電源供給の制御を行う。
【００３４】
図２は、本発明に係わる画像形成装置１００の用紙１の搬送経路の一例を示す図である。
【００３５】
図２に示すように、画像形成装置１００の用紙カセット１５０に蓄積収納された用紙１は、図示せぬ分離パッド及び給紙ローラ１６０で１枚ずつ分離され、給紙ローラ１６０とカセット押えローラ１６１との間と、搬送ローラ１６２及び搬送ピンチローラ１６３との間と、レジストローラ１６４及び搬送ピンチローラ１６５との間を搬送されて転写部１５１（破線で囲まれた部分）の感光ドラム１６７及び転写ローラ１６６との間に搬送される。
【００３６】
転写部１５１へ搬送された用紙１上には、露光制御部１９０で画像データに応じて露光制御されたレーザ光により感光ドラム１６７上に形成された潜像と、画像形成装置１００が備えるトナーと、転写ローラ１６６とにより画像データに対応したトナー画像が転写される。
【００３７】
転写部１５１でトナー画像が転写された用紙１は、定着部１５２（破線で囲まれた部分）の加熱ローラ１６９及び加圧ローラ１６８との間に搬送され、用紙１上に形成されたトナー画像が加熱ローラ１６９により加熱され、加圧ローラ１６８により加圧されて用紙１上に定着される。
【００３８】
定着部１５２でトナー画像が定着された用紙１は、排紙ローラ１７０及び排紙ピンチローラ１７１、１７２との間と、排紙ローラ１７３及び排紙ピンチローラ１７４との間に搬送されて画像形成装置１００の外に排紙される。
【００３９】
なお、搬送経路の用紙１の搬送方向に対してレジストローラ１６４の前後の位置には搬送中の用紙１の通過を検知する検知センサー１８０、１８１が配置されており、レジストローラ１６４の前側に配置された検知センサー１８０により用紙１の先端位置が検知されると、検知後、用紙１は、さらに一定時間搬送され、用紙先端位置がレジストローラ１６４に到達したところで用紙１の傾きが補正され、補正後、レジストローラ１６４が回転を開始して用紙１が転写部１５１の感光ドラム１６７及び転写ローラ１６６との間に搬送される。
【００４０】
また、レジストローラ１６４の後側に配置された検知センサー１８１で用紙１が検知されると、用紙１の印字書き出し位置が調整される。
【００４１】
また、搬送経路の用紙１の搬送方向に対して定着部１５２の加熱ローラ及び加圧ローラの後側の位置には搬送中の用紙１の通過を検知する検知センサー１８２が配置されており、この検知センサー１８２により用紙１が画像形成装置１００内から完全に排紙されたか否かを検知する。
【００４２】
なお、各検知センサー１８０、１８１、１８２が用紙１を検知した検知情報は、制御部１０へ通知され、制御部１０は、各検知センサーから通知される検知情報に基づき画像形成装置１００内の搬送途中の用紙１の存在有無と、その存在位置を認識する。
【００４３】
なお、図２に示した画像形成装置１００及び用紙１の搬送経路は、一例を示したものであり、画像形成装置内の加熱部もしくは用紙の搬送経路内に搬送途中の用紙が存在するか否かを検知する検知手段を備えていれば用紙を搬送する種々の搬送経路を備えた画像形成装置に適用可能である。
【００４４】
このように構成された画像形成装置１００が用紙１の搬送経路内に搬送途中の用紙１が存在する時に外部電源からの給電が遮断された場合の制御方法について図３の流れ図を参照しながら説明する。
【００４５】
画像形成装置１００の電源投入後、外部電源１９１からの給電により画像形成装置１００が通常の稼動状態（印刷指示待ち状態もしくは印刷処理中）において（ステップＳ３００）、地震等の何らかの原因により外部電源１９１から画像形成装置１００への給電が遮断されると（ステップＳ３０１でＹＥＳ）、外部電源１９１からの給電が遮断されたことを電源制御部１９が検知し、画像形成装置１００への給電を内部電源１９２に切替え制御を行う（ステップＳ３０２）。
【００４６】
なお、画像形成装置１００への給電は、通常、画像形成装置１００の電源が投入されることで電源制御部１９と接続された外部電源から給電され、電源をオフにすることで画像形成装置１００への給電が遮断される。
【００４７】
また、内部電源から画像形成装置１００への給電は、画像形成装置１００が通常の稼動状態において電源をオフにする操作が行われることなく突然外部電源からの給電が遮断された場合に電源制御部１９の判断に基づく電源切替え制御により外部電源から内部電源に切替えられることで行われる。
【００４８】
なお、電源制御部１９による外部電源から内部電源への切替え制御は瞬時に行われるので画像形成装置１００への給電は途切れることなく行われる。
【００４９】
電源制御部１９の切替え制御により内部電源１９２から給電されると、電源制御部１９が内部電源１９２からの給電に切替え制御した旨を制御部１０へ通知し、制御部１０が操作部１１の表示画面上に内部電源からの給電状態にある旨を表示させるとともに画像形成装置１００の用紙１の搬送経路内に搬送途中の用紙１が存在しないか否かを判断する（ステップＳ３０３）。
【００５０】
画像形成装置１００の用紙１の搬送経路内に搬送途中の用紙１が存在しないか否かの判断は、具体的には、検知センサー１８０が用紙１を検知中または検知後、検知センサー１８１が用紙１を検知するまでの間は、検知センサー１８０の配置位置近傍に搬送途中の用紙１が存在すると判断し、検知センサー１８１が用紙１を検知中または検知後、検知センサー１８２が用紙１を検知するまでの間は、検知センサー１８１の配置位置近傍に搬送途中の用紙１が存在すると判断し、検知センサー１８２が用紙１を検知中または検知後、一定時間を経過するまでの間は、検知センサー１８２の配置位置近傍に搬送途中の用紙１が存在すると判断する。
【００５１】
なお、前述の一定時間とは、搬送途中の用紙１が検知センサー１８２の配置位置を通過後、排紙ローラ１７０及び排紙ピンチローラ１７１、１７２との間と、排紙ローラ１７３及び排紙ピンチローラ１７４との間に搬送されて画像形成装置１００の外に完全に排紙されるまでの時間であり、時間の計測は図示せぬタイマーによって計測される。
【００５２】
また、画像形成装置１００の用紙１の搬送経路に配置された検知センサー１８０、１８１、１８２は、搬送経路内に搬送途中の用紙１が存在する場合には各検知センサーのうちの何れかの検知センサーが搬送途中の用紙１を検知できるように配置されているが、搬送路上に搬送途中の用紙１の存在が検知できれば何れの配置としてもよい。
【００５３】
ステップＳ３０３において、画像形成装置１００の用紙１の搬送経路内に搬送途中の用紙１が存在しない場合は（ステップＳ３０３でＮＯ）、制御部１０が画像形成装置１００の動作を終了させ、電源制御部１９に対して電源をオフにする指令信号を送信し、電源制御部１９が制御部１０の指令信号に基づき電源をオフにする（ステップＳ３０６）。
【００５４】
また、ステップＳ３０３において、画像形成装置１００の用紙１の搬送経路内に搬送途中の用紙１が存在する場合は（ステップＳ３０３でＹＥＳ）、制御部１０による排紙処理の制御により当該用紙１を画像形成装置１００内から完全に排紙した後（ステップＳ３０４、ステップＳ３０５でＹＥＳ）、画像形成装置１００の動作を終了させ、電源制御部１９に対して電源をオフにする指令信号を送信し、電源制御部１９が制御部１０の指令信号に基づき電源をオフにする（ステップＳ３０６）。
【００５５】
なお、ステップＳ３０４の排紙処理は、具体的には、搬送途中の用紙１が検知センサー１８０もしくは検知センサー１８１の配置位置近傍に存在する時に外部電源からの給電が遮断された場合は、当該用紙１を転写部１５１に搬送してトナー画像を用紙１上に転写させ、トナー画像が転写された用紙１を定着部１５２へ搬送して用紙１上にトナー画像を定着後、排紙ローラ１７０及び排紙ピンチローラ１７１、１７２との間と、排紙ローラ１７３及び排紙ピンチローラ１７３との間を搬送させて画像形成装置１００の外に完全に排紙するように駆動制御部１７、駆動部１５、画像処理部１３及び画像形成部１４に指令信号を送信し、各部が制御部１０の指令信号に基づき各処理を行う。
【００５６】
また、搬送途中の用紙１が検知センサー１８２の配置位置近傍に存在する時に外部電源からの給電が遮断された場合は、当該用紙１上にトナー画像を定着後、排紙ローラ１７０及び排紙ピンチローラ１７１、１７２との間と、排紙ローラ１７３及び排紙ピンチローラ１７３との間を搬送させて画像形成装置１００の外に完全に排紙するように駆動制御部１７、駆動部１５及び画像形成部１４に指令信号を送信し、各部が制御部１０の指令信号に基づき各処理を行う。
【００５７】
以上説明したように本発明に係わる画像形成装置およびその制御方法は、内部電源を備え、地震等の何らかの原因により外部電源から画像形成装置への給電が遮断された場合は内部電源に切替え制御して給電するので、突然外部電源からの給電が遮断された場合であっても画像形成装置への給電が確保され、画像形成装置が有する機能を最大限に機能させることができる。
【００５８】
また、画像形成装置の用紙の搬送経路内に搬送途中の用紙が存在する時に外部電源からの給電が遮断された場合は、内部電源に切替え制御して給電し、搬送途中の用紙を完全に排紙した後、画像形成装置の電源をオフとするので用紙が加熱部に残留して過熱される危険を回避することができる。
【００５９】
なお、上記実施例に示した画像形成装置１００は、用紙１を検知する３個の検知センサー１８０、１８１、１８２を用紙１の搬送経路上に配置し、搬送経路内の搬送途中の用紙１の存在有無とその位置とを検知する構成例を示したが、定着部１５２の加熱ローラ１６９及び加圧ローラ１６８の後側の位置に用紙１を検知する検知センサー１８３のみを配置した構成としてもよい。
【００６０】
この場合は、定着部１５２の加熱ローラ１６９及び加圧ローラ１６８近傍に搬送途中の用紙１が存在する時に外部電源からの給電が遮断された場合は、内部電源に切替え制御して給電し、当該用紙１上にトナー画像を定着後、排紙ローラ１７０及び排紙ピンチローラ１７１、１７２との間と、排紙ローラ１７３及び排紙ピンチローラ１７３との間を搬送させて画像形成装置の外に完全に排紙後、画像形成装置の動作を終了させ、電源をオフにする。
【００６１】
また、搬送途中の用紙を検知する検知センサーの配置は、用紙の搬送経路内に適宜配置してもよく、この場合は、配置された各検知センサーの検知結果に基づき搬送途中の用紙の位置を認識し、外部電源からの給電が遮断された場合は、内部電源に切替え制御して給電し、外部電源からの給電が遮断され時の搬送途中の用紙の位置に応じて用紙の排紙処理を行い、画像形成装置内から用紙を完全に排紙後、画像形成装置の動作を終了させ、電源をオフにするように制御する。
【図面の簡単な説明】
【００６２】
【図１】本発明に係わる画像形成装置１００の機能的な構成を示すブロック図
【図２】画像形成装置１００の用紙の搬送経路を示す図
【図３】画像形成装置１００の用紙１の搬送経路内に搬送途中の用紙１が存在する時に外部電源からの給電が遮断された場合の制御方法の流れ図
【符号の説明】
【００６３】
１      用紙
１０    制御部
１１    操作部
１２    記憶部
１３    駆動制御部
１４    電源制御部
１４１  外部電源
１４２  内部電源
１５    画像形成部
１６    画像処理部
１７    振動検出部
１８    駆動状態検出部
１９    駆動部
１００  画像形成装置
１５０  用紙カセット
１６０  給紙ローラ
１６１  カセット押えローラ
１６２  搬送ローラ
１６３、１６５  搬送ピンチローラ
１６４  レジストローラ
１６６  転写ローラ
１６７  感光ドラム
１６８  加圧ローラ
１６９  加熱ローラ
１７０、１７３  排紙ローラ
１７１、１７２、１７４  排紙ピンチローラ
【図１】
2007086645.tif 000003
【図２】
2007086645.tif 000004
【図３】
2007086645.tif 000005